(57)【要約】【課題】本発明の課題は、耐ドライアップ性能および筆記性能に優れ、良好な筆跡が得られる筆記具用インキ組成物および、それを用いた筆記具を提供すること。【解決手段】Ｎ，Ｎ，Ｎ−トリアルキルアミノ酸と、ヒアルロン酸類と、着色剤と、溶媒と、を含んでなることを特徴とする、筆記具用インキ組成物および、それを用いた筆記具。【選択図】なし【特許請求の範囲】
【請求項１】
Ｎ，Ｎ，Ｎ−トリアルキルアミノ酸と、ヒアルロン酸類と、着色剤と、溶媒と、を含んでなることを特徴とする、筆記具用インキ組成物。
【請求項２】
前記Ｎ，Ｎ，Ｎ−トリアルキルアミノ酸と前記ヒアルロン酸類の総含有量が、前記筆記具用インキ組成物の総質量を基準として、０．１質量％〜２０質量％である、請求項１に記載の筆記具用インキ組成物。
【請求項３】
前記Ｎ，Ｎ，Ｎ−トリアルキルアミノ酸と前記ヒアルロン酸類の配合比が、質量比で、５：１〜１０００：１である、請求項１または２に記載の筆記具用インキ組成物。
【請求項４】
請求項１〜３のいずれか一項に記載の筆記具用インキ組成物を収容してなることを特徴とする、筆記具。
【発明の詳細な説明】
【技術分野】
【０００１】
本発明は、筆記具用インキ組成物、およびそれを用いた筆記具に関するものである。
【背景技術】
【０００２】
筆記具は、暫くペン先が大気中に晒された状態にあると、充填されているインキ中の溶媒などがペン先より蒸発し、インキが乾燥固化して、筆跡がかすれたり、筆記ができなくなるなど、筆記具として満足に利用できなくなることがあった。このため、筆記具用インキ組成物およびそれを用いた筆記具において、インキの乾燥を防ぎ、良好な耐ドライアップ性能を得ることは課題である。そこで前記課題を解決するため、インキ中に保湿剤として、エチレングリコール、プロピレングリコールやグリセリンなどの多価アルコール溶剤や、尿素または尿素誘導体を添加し、耐ドライアップ性能を向上させたインキ組成物が提案されている。（特許文献１など）
しかしながら、前記多価アルコール溶剤や、尿素または尿素誘導体は、耐ドライアップ性能の向上に効果はあるものの、良好な耐ドライアップ性能が得られる程度にインキ組成物中に添加すると、インキ粘度が上昇し、インキの追従性が悪化して、ボテや線割れ、とぎれやかすれが発生したり、書き味が悪くなったり、さらには、筆跡が長時間乾かず、筆跡がこすれた際に汚れてしまうなどの問題を抱えている。
そこで、更なる耐ドライアップ性能の向上を図るため、特許文献２では、Ｈ２Ｃ＝ＣＨ−Ｏ−ＣＯ−ＮＨ−（ＣＨ２）ｎ−ＣＨ３の一般式で表される化合物を含んでなるインキ組成物が開示されている。
しかしながら、耐ドライアップ性能の向上は見られるものの、前記インキ組成物を、マーキングペンや万年筆などに用いた場合には、インキの追従性が劣り、良好な筆跡を得ることは困難であった。
【先行技術文献】
【特許文献】
【０００３】
【特許文献１】特開平８−１２７７４６号公報
【特許文献２】特開２０１１−１７８９７３号公報
【発明の概要】
【発明が解決しようとする課題】
【０００４】
本発明は、耐ドライアップ性能に優れ、筆記性能が良好な筆記具用インキ組成物を提供するものであり、さらに、それを用いた筆記具を提供するものである。
【課題を解決するための手段】
【０００５】
本発明の筆記具用インキ組成物は、Ｎ，Ｎ，Ｎ−トリアルキルアミノ酸と、ヒアルロン酸類と、着色剤と、溶媒と、を含んでなることを特徴とするものである。
【０００６】
また、本発明の筆記具は、前記筆記具用インキ組成物を収容してなることを特徴とするものである。
【発明の効果】
【０００７】
本発明によれば、耐ドライアップ性能に優れ、さらにインキ追従性に優れるなど筆記性能が良好で、良好な筆跡が得られる筆記具用インキ組成物および、それを用いた筆記具を提供することができる。
【発明を実施するための形態】
【０００８】
以下、本発明の実施の形態について、詳細に説明する。なお、本明細書において、配合を示す「部」、「％」、「比」などは特に断らない限り質量基準であり、含有量とは、インキ組成物の質量を基準としたときの構成成分の質量％である。
【０００９】
本発明による筆記具用インキ組成物（以下、場合により、インキ組成物と表す。）は、Ｎ，Ｎ，Ｎ−トリアルキルアミノ酸と、ヒアルロン酸類と、着色剤と、溶媒と、を含んでなることを第一の特徴とする。
本発明においては、Ｎ，Ｎ，Ｎ−トリアルキルアミノ酸とヒアルロン酸類を併用することが必須であり、前記Ｎ，Ｎ，Ｎ−トリアルキルアミノ酸と前記ヒアルロン酸類は共に保湿剤として働き、効果的にインキ中の溶媒の蒸発を抑制することができる。
これは、前記Ｎ，Ｎ，Ｎ−トリアルキルアミノ酸は優れた吸湿力を有し、また、前記ヒアルロン酸類は持続性のある優れた保水力を有することから、前記Ｎ，Ｎ，Ｎ−トリアルキルアミノ酸と前記ヒアルロン酸類の二つの保湿剤をインキ組成物に添加すると、インキ組成物に優れた吸湿力と優れた保水力が付与され、相乗的に優れた保湿効果をもたらすことができるためである。
よって、Ｎ，Ｎ，Ｎ−トリアルキルアミノ酸とヒアルロン酸類を含んでなる本発明のインキ組成物は、長期間、または、乾燥状態が強い環境の中でペン先が大気に晒されたとしても、ペン先からのインキの溶媒の蒸発が抑制され、さらにインキ粘度の増粘が抑制されるため、優れた耐ドライアップ性能を有するものとなる。
また、前記二つの保湿剤を用いることにより、優れた耐ドライアップ性能を得ながらもインキ粘度の上昇を抑えることが可能である。このため、使用する筆記具に対して所望のインキ粘度に調整しやすく、また、初期、経時ともに安定したインキ追従性が得られることから、とぎれやかすれなどのない良好な筆跡を得ることができ、筆記性能にも優れたものとなる。
下記に、二つの保湿剤について詳細に説明する。
【００１０】
前記Ｎ，Ｎ，Ｎ−トリアルキルアミノ酸は、下記式（1）で表せるものである。
【化１】
2019077828.tif 000002
【００１１】
式（１）中、Ｒ１〜Ｒ３としては、直鎖又は分岐鎖のアルキル基を広く用いることができる。すなわち、メチル基、エチル基、プロピル基、イソプロピル基、ブチル基、イソブチル基、ｓｅｃ−ブチル基、ｔｅｒｔ−ブチル基等が例示される。なおＲ１〜Ｒ３は同一であっても異なっていてもよい。また、ｎは整数を示す。
具体的には、ｎ＝１の場合、トリメチルグリシン、トリエチルグリシン、トリプロピルグリシン、トリイソプロピルグリシン等が挙げられ、ｎ＝２の場合、トリメチル−β−アラニン等が挙げられ、ｎ＝３の場合、トリメチル−γ−アミノ酪酸等が挙げられる。
【００１２】
Ｎ，Ｎ，Ｎ−トリアルキルアミノ酸は、前述の通り、優れた吸湿力を有する。このため、前記Ｎ，Ｎ，Ｎ−トリアルキルアミノ酸を含んでなるインキ組成物は、大気中の水分などを取り込み、インキ中の溶媒の蒸発を効果的に制御することができ、インキ組成物に優れた耐ドライアップ性能を付与することができる。
さらに、Ｎ，Ｎ，Ｎ−トリアルキルアミノ酸は、十分な保湿効果が得られる程度に添加しても、インキ粘度の上昇を抑えることができ、さらにはインキ組成物の筆跡乾燥性を向上させる傾向にある。
【００１３】
本発明において、耐ドライアップ性能の向上を考慮すると、前記Ｎ，Ｎ，Ｎ−トリアルキルアミノ酸は、式（１）中、ｎ＝１〜３であることが好ましく、ｎ＝１であることがより好ましい。また、インキ追従性の向上、さらにインキ組成物の保存安定性の向上を考慮すると、前記Ｎ，Ｎ，Ｎ−トリアルキルアミノ酸は、式（１）中のＲ１〜Ｒ３がメチル基であることが好ましい。
よって、本発明において、耐ドライアップ性能、インキ追従性、保存安定性を特に考慮すると、式（１）中のＲ１〜Ｒ３がメチル基であり、ｎ＝１であるようなトリメチルグリシンを用いることが好ましい。特に、前記トリメチルグリシンは、後述するヒアルロン酸類との相互作用により、耐ドライアップ性能を向上させやすいため、特に効果的である。
【００１４】
次に、ヒアルロン酸類について説明する。
前記ヒアルロン酸類とは、ヒアルロン酸またはヒアルロン酸誘導体、またはそれらの塩が挙げられる。
ヒアルロン酸とは、Ｎ−アセチルグルコサミンとグルクロン酸との二糖を繰返し単位とする化合物であり、ヒアルロン酸誘導体とは、前記ヒアルロン酸に含まれる官能基が修飾された化合物である。例えば、カチオン化ヒアルロン酸、アシル化ヒアルロン酸、アセチル化ヒアルロン酸、カルボキシアルキル化ヒアルロン酸などが挙げられる。
また、ヒアルロン酸またはヒアルロン酸誘導体の塩とは、前記ヒアルロン酸または前記ヒアルロン酸誘導体を塩基で中和した塩であり、塩基としては、ヒアルロン酸またはヒアルロン酸誘導体を中和することが可能であれば特に限定されない。具体的には、カルボキシアルキル化ヒアルロン酸の塩としては、例えば、ナトリウム塩、カリウム塩、カルシウム塩、亜鉛塩、マグネシウム塩、アンモニウム塩等が挙げられる。
【００１５】
前記ヒアルロン酸類は、前述の通り、持続性のある優れた保水力を有するものである。このため、前記ヒアルロン酸類を含んでなるインキ組成物は、その優れた保水力により、インキ中の溶媒の蒸発を長期的に抑制することができ、インキ組成物に優れた耐ドライアップ性能を付与することができる。
よって、Ｎ，Ｎ，Ｎ−トリアルキルアミノ酸とヒアルロン酸類を含んでなる本発明のインキ組成物は、Ｎ，Ｎ，Ｎ−トリアルキルアミノ酸の優れた吸湿力により取り込まれた水分を、前記ヒアルロン酸類の優れた保水力により、インキ組成物中に効果的に長期的に保持することが可能となり、相乗的に保湿効果が高められ、インキ中の溶媒の蒸発を効率良く抑制できると考えられる。
【００１６】
本発明において、インキ経時安定性、Ｎ，Ｎ，Ｎ−トリアルキルアミノ酸との安定性を考慮すると、前記ヒアルロン酸類としては、ヒアルロン酸の塩、ヒアルロン酸誘導体、またはヒアルロン酸誘導体の塩の中から１種以上を選択して用いることが好ましい。
前記ヒアルロン酸誘導体は、前述の通り、カチオン化ヒアルロン酸、アシル化ヒアルロン酸、アセチル化ヒアルロン酸、カルボキシアルキル化ヒアルロン酸などが挙げられるが、耐ドライアップ性能とインキ追従性の向上を考慮すると、本発明においては、カルボキシアルキル化ヒアルロン酸を用いることが好ましい。
よって、本発明においては、ヒアルロン酸の塩、カルボキシアルキル化ヒアルロン酸、またはその塩の中から１種以上を選択して用いることがより好ましく、耐ドライアップ性能とともにインキ追従性の更なる向上を考慮すると、ヒアルロン酸類として、カルボキシアルキル化ヒアルロン酸またはその塩を用いることが、特に好ましい。
【００１７】
前記カルボキシアルキル化ヒアルロン酸は、ヒアルロン酸にカルボキシアルキル基が付加された化合物であり、ヒアルロン酸を構成する水酸基のうち一部の水酸基の水素原子が、カルボキシアルキル基に置換されたものである。
前記カルボキシアルキル基とは、アルキレン基とカルボキシル基をもつもので、−（ＣＨ２）ｎ−ＣＯＯＨまたは−（ＣＨ２）ｎ−ＣＯＯ−（ｎは整数）で表すことができ、前記カルボキシアルキル化ヒアルロン酸は、ヒアルロン酸の水酸基にアルキレン基を介してカルボキシル基が導入された化合物でもある。
また、カルボキシアルキル化ヒアルロン酸の塩とは、カルボキシアルキル化ヒアルロン酸を塩基で中和した塩であり、塩基としては、カルボキシアルキル化ヒアルロン酸を中和することが可能であれば特に限定されない。具体的には、カルボキシアルキル化ヒアルロン酸の塩としては、例えば、ナトリウム塩、カリウム塩、カルシウム塩、亜鉛塩、マグネシウム塩、アンモニウム塩等が挙げられる。
【００１８】
前記カルボキシアルキル化ヒアルロン酸またはその塩は、下記式（２）で表される化合物である。
【００１９】
【化２】
2019077828.tif 000003
式（２）中、Ｒ１〜Ｒ５は独立して、水素原子、−（ＣＨ２）ｎ−ＣＯＯＨで表される基、または−（ＣＨ２）ｎ−ＣＯＯ−で表される基を表し（ただし、Ｒ１〜Ｒ５がいずれも水素原子を表す場合を除く。）、ｎは１〜７５００を示す。
【００２０】
前記カルボキシアルキル化ヒアルロン酸またはその塩は、その他のヒアルロン酸類に比べて極めて高い保水力を有し、その保水力は持続性を有するものである。また、十分な保湿効果が得られる程度に添加しても、その他のヒアルロン酸類に比べてインキ粘度の上昇を抑えられる傾向にある。このため、本発明において、前記カルボキシアルキル化ヒアルロン酸またはその塩を用いることは極めて効果的である。
【００２１】
これは、理由は定かではないが下記のように推測する。
一般に、分子内にカルボキシル基を複数有する高分子は、カルボキシル基同士の静電反発により網目構造を形成し、その網目構造中に水分子などを取り込むことができる。
前記カルボキシアルキル化ヒアルロン酸またはその塩は、ヒアルロン酸にカルボキシアルキル基が付加された化合物であり、分子内に多数のカルボキシル基を有する。このため、前記カルボキシアルキル化ヒアルロン酸またはその塩は、カルボキシル基同士の反発が起こり、網目構造が形成されやすい。さらに、カルボキシアルキル基はアルキレン基を有するため、形成される網目構造の隙間は、カルボキシル基を有するヒアルロン酸よりも大きくなることから、前記カルボキシアルキル化ヒアルロン酸またはその塩は、保水スペースとして非常に多くの水分子などを取り込むことができる隙間を形成するものと考えられる。また、ヒアルロン酸は、溶媒中で水素結合などの影響を受け三次元的な網目構造を形成するものであるから、前記カルボキシアルキル化ヒアルロン酸またはその塩においても、前述のような広い保水スペースをもつ網目構造を形成しながら、さらに、三次元的な網目構造を形成すると考えられる。よって、前記カルボキシアルキル化ヒアルロン酸またはその塩は、非常に多くの水分子を効果的に、さらには長期的に保持できるものであると考えられる。このため、前記カルボキシアルキル化ヒアルロン酸またはその塩と、Ｎ，Ｎ，Ｎ−トリアルキルアミノ酸を併用することにより、Ｎ，Ｎ，Ｎ−トリアルキルアミノ酸の優れた吸湿力により取り込まれた水分を、カルボキシアルキル化ヒアルロン酸またはその塩の極めて高い保水力により、インキ組成物中に、大量にかつ長期的に保持することが可能となり、インキ中の溶媒の蒸発が効果的に、さらに経時的に抑制できると考えられる。
以上より、本発明において、前記カルボキシアルキル化ヒアルロン酸またはその塩と、前記Ｎ，Ｎ，Ｎ−トリアルキルアミノ酸を含んでなることは極めて効果的であり、インキ中の溶媒の蒸発が抑制され、インキ粘度の増粘が抑えられ、初期、経時ともにインキ追従性に優れたものとなり、とぎれやかすれのない良好な筆跡が得られるなど、耐ドライアップ性能、筆記性能に特に優れたインキ組成物を得ることができるのである。
【００２２】
前述の通り、前記カルボキシアルキル化ヒアルロン酸またはその塩が有する前記カルボキシアルキル基は、アルキレン基とカルボキシル基をもつものであり、−（ＣＨ２）ｎ−ＣＯＯＨまたは−（ＣＨ２）ｎ−ＣＯＯ−で表すことができるが、インキ組成物の耐ドライアップ性能の向上を考慮すると、カルボキシアルキル基のもつアルキレン基の炭素数は１〜５であることが好ましく、１〜３であることがより好ましい。すなわち−（ＣＨ２）ｎ−ＣＯＯＨまたは−（ＣＨ２）ｎ−ＣＯＯ−においてｎ＝１〜５であることが好ましく、ｎ＝１〜３であることがより好ましい。これは、前記アルキレン基の炭素数が前記数値の範囲内であることにより、適度な保水スペースを維持することができるためである。
さらに、本発明においては、インキ組成物の経時安定性、インキ追従性の更なる向上を考慮すると、前記アルキレン基の炭素数はｎ＝１であることが特に好ましい。よって、−（ＣＨ２）ｎ−ＣＯＯＨまたは−（ＣＨ２）ｎ−ＣＯＯ−においてｎ＝１であることが特に好ましく、つまりは、前記カルボキシアルキル基はカルボキシメチル基であることが特に好ましく、よって、カルボキシメチルヒアルロン酸またはその塩を用いるが特に好ましい。
また、前記カルボキシアルキル化ヒアルロン酸の塩は、前述の通り、ナトリウム塩、カリウム塩、カルシウム塩、亜鉛塩、マグネシウム塩、アンモニウム塩等が挙げられるが、中でも、本発明においては、ナトリウム塩であることが好ましく、本発明におけるカルボキシアルキル化ヒアルロン酸の塩の好ましいものとしては、カルボキシアルキル化ヒアルロン酸ナトリウムである。
【００２３】
本発明において、インキ組成物の耐ドライアップ性能、インキ経時安定性を考慮すると、カルボキシアルキル化ヒアルロン酸の塩を少なくとも含んでいることが好ましく、さらには、カルボキシメチルヒアルロン酸の塩を、特にはカルボキシメチルヒアルロン酸ナトリウムを少なくとも含んでなることが好ましい。
【００２４】
以上より、本発明において、カルボキシメチルヒアルロン酸ナトリウムとＮ，Ｎ，Ｎ−トリアルキルアミノ酸を併用することが特に好ましく、さらには、カルボキシメチルヒアルロン酸ナトリウムとトリメチルグリシンを併用することが極めて好ましく、優れた耐ドライアップ性能と、インキ経時安定性を得ることができ、さらには初期、経時ともに優れたインキ追従性が得られ、かすれなどのない優れた筆跡を得ることができるなど筆記性能にも優れたインキ組成物を得ることができる。
前記カルボキシメチルヒアルロン酸ナトリウムとしては、下記式（３）で示される化合物が挙げられる。
【００２５】
【化３】
2019077828.tif 000004
式（３）中、Ｒは、水素原子または−ＣＨ２−ＣＯＯＮａで表される。ｎは１〜７５００を示す。
【００２６】
前記カルボキシメチルヒアルロン酸ナトリウムを含んでなる市販品の一例としては、ヒアロキャッチシリーズ（キユーピー(株)製）等が挙げられ、具体的には、ヒアロキャッチ、ヒアロキャッチ−Ｌ等が挙げられる。
【００２７】
また、前記ヒアルロン酸類の動粘度は、０．１〜５００ｍｍ２／ｓであることが好ましく、２０〜３００ｍｍ２／ｓであることがより好ましい。前記ヒアルロン酸類の動粘度が前記数値の範囲内であれば、優れた耐ドライアップ性能を得ながら、インキ粘度の上昇を抑えることができ、優れたインキ追従性を維持することが可能であり、かすれやとぎれのない良好な筆跡が得られ、さらには、得られる筆跡の乾燥性を向上できる傾向にある。
尚、前記動粘度は、ウベローデ粘度計（柴田科学器械工業(株)製）を用いて測定することができるが、この際、流下秒数が２００秒以上１０００秒になるような係数のウベローデ粘度計を選択する。測定は３０℃の恒温水槽中で行ない、温度変化のないようにし、ウベローデ粘度計により測定された前記水溶液の流下秒数と、ウベローデ粘度計の係数との積により、動粘度（単位：ｍｍ２／ｓ）を求めることができる。
【００２８】
本発明において、前記ヒアルロン酸類としてカルボキシアルキル化ヒアルロン酸またはその塩を用いる場合には、前記カルボキシアルキル化ヒアルロン酸またはその塩の動粘度は、１〜２００ｍｍ２／ｓであることが好ましく、１０〜２００ｍｍ２／ｓであることがより好ましく、３０〜１５０ｍｍ２／ｓであることがさらに好ましい。
【００２９】
また、前記ヒアルロン酸類の平均分子量としては、４００〜５００万であることが好ましく、４０００〜３００万であることがより好ましい。
前記ヒアルロン酸類の平均分子量が前記数値の範囲内であれば、インキ組成物中で高い保水力を維持しながらも、インキ組成物のインキ粘度の上昇を抑えることができ、優れたインキ追従性を維持して良好な筆跡を得ることができ、さらには、得られる筆跡の乾燥性を向上できる傾向にある。
前記平均分子量の測定方法は限定されないが、例えば、極限粘度を分子量に換算する方法や液体クロマトグラフィーによる測定法等が挙げられる。尚、前記極限粘度は、動粘度から求める方法や、日本薬局方の一般試験法の粘度測定法（第一法毛細官粘度測定法）などにより比粘度を測定した後、還元粘度を算出し、その還元粘度から求める方法などがある。
【００３０】
本発明において、ヒアルロン酸類として前記カルボキシアルキル化ヒアルロン酸またはその塩を用いる場合には、前記カルボキシアルキル化ヒアルロン酸またはその塩の平均分子量は４０００〜２００万であることが好ましく、１万〜２００万であることがより好ましく、５０万〜２００万であることがさらに好ましく、７０万〜１５０万であることが特に好ましい。
尚、本発明において、カルボキシアルキル化ヒアルロン酸またはその塩の平均分子量は、以下の方法にて測定することができる。
ゲル濾過カラムを用いて、平均分子量が既知である複数の精製ヒアルロン酸（基準物質）を液体クロマトグラフィーで分析し、それらの保持時間より検量線を作成する。同様に、測定対象であるカルボキシアルキル化ヒアルロン酸またはその塩を液体クロマトグラフィーで分析し、前記検量線を用いて平均分子量を求めることで、カルボキシアルキル化ヒアルロン酸またはその塩の平均分子量を求めることができる。
前記液体クロマトグラフィー分析に使用することができる液体クロマトグラフィー分析装置としては、例えば、Ｗａｔｅｒｓ  Ａｌｌｉａｎｃｅ  ２６９０  ＨＰＬＣ  Ｓｅｐａｒａｔｉｏｎｓ  Ｍｏｄｕｌｅ（Ｗａｔｅｒｓ社製）、Ｗａｔｅｒｓ  Ａｌｌｉａｎｃｅ  ２６９５  ＨＰＬＣ  Ｓｅｐａｒａｔｉｏｎｓ  Ｍｏｄｕｌｅ（Ｗａｔｅｒｓ社製）、１２００  Ｓｅｒｉｅｓ（Ａｇｉｌｅｎｔ社製）が挙げられる。また、液体クロマトグラフィー分析に使用することができるカラムとしては、例えば、ｓｈｏｄｅｘ社製  配位子交換クロマトグラフィー用カラム（配位子交換モード＋サイズ排除モード)、型名「ＳＵＧＡＲ  ＫＳ−８０１」、「ＳＵＧＡＲ  ＫＳ−８０２」、「ＳＵＧＡＲ  ＫＳ−８０３」、「ＳＵＧＡＲ  ＫＳ−８０４」、「ＳＵＧＡＲ  ＫＳ−８０５」、「ＳＵＧＡＲ  ＫＳ−８０６」、「ＳＵＧＡＲ  ＫＳ−８０７」や、ＴＯＳＯＨ製  サイズ排除クロマトグラフィーカラム、型名「ＴＳＫｇｅｌ  ＧＭＰＷ」が挙げられる。
【００３１】
また、本発明において、ヒアルロン酸類として前記カルボキシアルキル化ヒアルロン酸またはその塩を用いる場合には、前記カルボキシメチルヒアルロン酸またはその塩のカルボキシメチル化率は、５％〜２００％であることが好ましく、１０％〜２００％であることがより好ましく、５０％〜２００％であることがさらに好ましく、６０％〜１５０％であることが特に好ましい。
前記カルボキシメチル化率が前記数値の範囲内であれば、インキ組成物中に優れた保水性を付与し、インキ粘度の上昇を抑え、インキ組成物に優れた耐ドライアップ性能と優れたインキ追従性をもたらすことができる。
【００３２】
尚、前記カルボキシメチル化率とは、ヒアルロン酸を構成する２糖単位に対するカルボキシメチル化率であり、１Ｈ−ＮＭＲスペクトルにおいて、ヒアルロン酸骨格中のＣ−２位に結合するＮ−アセチル基のメチル基（−ＣＨ３）のプロトンを示すピーク（２ｐｐｍ付近に発現）の積算値に対する、−ＣＨ２−ＣＯＯＨまたは−（ＣＨ２）ｎ−ＣＯＯ−で表される基中のメチレン基（−ＣＨ２−）のプロトンを示すピーク（３．８ｐｐｍ以上４．２ｐｐｍ以下の範囲に発現）の積算値の割合（％）で表すことが可能である。
【００３３】
本発明のインキ組成物における、前記Ｎ，Ｎ，Ｎ−トリアルキルアミノ酸と前記ヒアルロン酸類の総含有量は、インキ組成物の総質量を基準として、０．１〜２０質量％であることが好ましい。前記Ｎ，Ｎ，Ｎ−トリアルキルアミノ酸と前記ヒアルロン酸類の総含有量が上記数値範囲内であれば、Ｎ，Ｎ，Ｎ−トリアルキルアミノ酸の吸湿効果とヒアルロン酸類の保水効果をインキ組成物に十分に付与でき、インキ中の溶媒の蒸発を抑え、インキ粘度の増粘を効果的に防ぎ、耐ドライアップ性能を向上させることができるうえ、初期、経時ともに優れたインキ追従性が得られるため、良好な筆跡を残すことができるなど筆記性能をも向上させることができる。
さらに、耐ドライアップ性能とともに筆記性能の向上を考慮すると、前記Ｎ，Ｎ，Ｎ−トリアルキルアミノ酸と前記ヒアルロン酸類の総含有量は０．１〜１０質量％とすることがより好ましく、前記効果をさらに考慮すると、０．１〜５質量％であることが好ましい。
【００３４】
本発明のインキ組成物における、前記Ｎ，Ｎ，Ｎ−トリアルキルアミノ酸と前記ヒアルロン酸類の配合比は、質量比で、５：１〜１０００：１であることが好ましく、５０：１〜５００：１であることがより好ましい。前記Ｎ，Ｎ，Ｎ−トリアルキルアミノ酸と前記ヒアルロン酸類の配合比が、上記数値範囲内であれば、優れた耐ドライアップ性能を十分に得ることが可能であり、さらにインキ粘度の上昇を効果的に抑えられ、優れたインキ追従性が維持され、かつ紙面に対する浸透性を適切に保つことができるため、とぎれやかすれ、さらには滲みなどのない良好な筆跡を得ることができるなど筆記性能も向上させることができる。
【００３５】
本発明によるインキ組成物における前記Ｎ，Ｎ，Ｎ−トリアルキルアミノ酸の含有量は、インキ組成物の総質量を基準として、０．１〜２０質量％であることが好ましく、０．１〜５質量％であることがより好ましい。
前記Ｎ，Ｎ，Ｎ−トリアルキルアミノ酸の含有量が上記数値範囲内であれば、前記Ｎ，Ｎ，Ｎ−トリアルキルアミノ酸の高い吸湿性能を効果的に付与でき、優れた耐ドライアップ性能が得られ、さらに、インキ組成物のインキ追従性や筆跡乾燥性など筆記性能にも優れたものとなり、良好な筆跡が得られやすい。尚、Ｎ，Ｎ，Ｎ−トリアルキルアミノ酸は、１種または、２種以上の混合物として使用することが可能である。
【００３６】
本発明によるインキ組成物における前記ヒアルロン酸類の含有量は、インキ組成物の総質量を基準として、０．０００１〜２質量％であることが好ましく、０．０００１〜０．５質量％であることがより好ましく、０．００１〜０．５質量％であることがより好ましい。
前記ヒアルロン酸類の含有量が上記数値範囲内であれば、インキ粘度に影響を与えることなく、前記ヒアルロン酸類の高い保水効果を付与できるため、優れた耐ドライアップ性能とともに、初期、経時ともに優れたインキ追従性が得られ、良好な筆跡を残すことができる。尚、ヒアルロン酸類は、１種または、２種以上の混合物として使用することが可能である。
【００３７】
＜着色剤＞
本発明で用いる着色剤は、特に限定されないが、筆記具用インキ組成物に用いられる顔料、染料などを使用することができる。
【００３８】
顔料としては、溶媒に分散可能であれば特に制限されるものではない。例えば、無機顔料、有機顔料、加工顔料などが挙げられるが、具体的にはカーボンブラック、アニリンブラック、群青、黄鉛、酸化チタン、酸化鉄、フタロシアニン系、アゾ系、キナクリドン系、キノフタロン系、スレン系、トリフェニルメタン系、ペリノン系、ペリレン系、ジオキサジン系、アルミ顔料、パール顔料、蛍光顔料、蓄光顔料等が挙げられる。その他、染料などで樹脂粒子を着色したような着色樹脂粒子や、色材を媒体中に分散させてなる着色体を公知のマイクロカプセル化法などにより樹脂壁膜形成物質からなる殻体に内包または固溶化させたマイクロカプセル顔料を用いても良い。
尚、顔料は、予め顔料分散剤を用いて微細に安定的に水媒体中に分散された水分散顔料製品等を用いてもよい。該顔料分散剤としては、水溶性樹脂、ノニオン性界面活性剤、アニオン性界面活性剤、カチオン性界面活性剤などが挙げられる。
染料としては、溶媒に溶解可能であれば特に制限されるものではない。例えば、直接染料、酸性染料、塩基性染料、含金染料、および各種造塩タイプ染料等が採用可能である。
これらの顔料および染料は、１種または、２種以上の混合物として使用してもかまわない。
【００３９】
前記着色剤の中でも、耐水性、耐光性に優れ、良好な発色を示す優れた筆跡を得ることを考慮すると、顔料を用いることが好ましい。
また、顔料は染料とは異なり、インキ中において不溶状態で分散していることから、着色剤に顔料を用いた場合、一度、インキが乾燥固化して、インキ流路などが詰まってしまうと、後から追従されるインキにより、この詰まりを解消することは難しく、インキが残っている場合でも再び筆記できなくなる可能性が高い。よって、耐ドライアップ性能の向上は、顔料を用いたインキにおいてより大きな課題である。本発明に用いられる前記Ｎ，Ｎ，Ｎ−トリアルキルアミノ酸および前記ヒアルロン酸類は、前述の通り、高い吸湿力と保水力をもち、保湿剤として効果的に働くことから、顔料を用いた場合にも、インキ組成物に優れた耐ドライアップ性能をもたらすことが可能であり、さらには、前記Ｎ，Ｎ，Ｎ−トリアルキルアミノ酸および前記ヒアルロン酸類は、顔料の分散安定性に影響を与えることなく、保湿効果を付与できる傾向にあるため、顔料と前記Ｎ，Ｎ，Ｎ−トリアルキルアミノ酸および前記ヒアルロン酸類の保湿剤と併用することは、特に効果的である。
【００４０】
本発明のインキ組成物における着色剤の含有量は、インキ組成物の総質量を基準として、０．１〜３０質量％であることがより好ましい。
【００４１】
＜溶媒＞
本発明に用いる溶媒は、従来の筆記具用水性インキ組成物や筆記具用油性インキ組成物に用いられる溶媒を使用することができる。
具体的には水が挙げられ、水としては特に制限はなく、例えば、水道水、イオン交換水、限外ろ過水または蒸溜水などが挙げられる。  
また、ポリエチレングリコール、エチレングリコール、ジエチレングリコール、グリセリン、プロピレングリコール等の多価アルコール溶剤や、エチレングリコールモノブチルエーテル、エチレングリコールモノフェニルエーテル、プロピレングリコールモノメチルエーテル、プロピレングリコールモノフェニルエーテル等のグリコールエーテル溶剤、さらには、メタノール、エタノール、イソプロピルアルコール、ベンジルアルコール等のアルコール溶剤なども挙げられる。
これらを１種または、２種以上の混合物として使用することが可能である。
【００４２】
中でも、本発明においては、水または、水に溶解可能な有機溶剤（水溶性有機溶剤）と水からなる混合溶媒を用いることが好ましく、前記Ｎ，Ｎ，Ｎ−トリアルキルアミノ酸および前記ヒアルロン酸類の溶解安定性や、保湿剤としての効果を効率良く得ることを考慮すると、本発明のインキ組成物は、水または、水に溶解可能な有機溶剤（水溶性有機溶剤）と水からなる混合溶媒を用いた筆記具用水性インキ組成物として調整することが好ましい。
本発明において、水に溶解可能な有機溶剤（水溶性有機溶剤）と水からなる混合溶媒を用いる場合、前記水溶性有機溶剤の中でも、多価アルコール溶剤を選択して用いることが好ましい。これは、前記多価アルコール溶剤を用いることで、多価アルコール溶剤の吸湿効果をインキ組成物に付与することができるためである。よって、本発明において、多価アルコール溶剤を用いることにより、前記ヒアルロン酸類がもつ優れた保水力による溶媒蒸発抑制効果と、前記Ｎ，Ｎ，Ｎ−トリアルキルアミノ酸および多価アルコール溶剤の吸湿効果により、さらに相乗的に保湿効果が向上し、極めて優れた耐ドライアップ性能が得られ、長期間、または乾燥状態が特に強い環境でペン先が大気に晒された状態にあっても、良好な筆跡を得ることができる。
【００４３】
インキ組成物における溶媒の含有量は、インキ組成物の総質量を基準として、１０〜９９質量％であることが好ましい。
尚、前記多価アルコール溶剤を用いる場合、前記Ｎ，Ｎ，Ｎ−トリアルキルアミノ酸、前記ヒアルロン酸類および、前記多価アルコール溶剤の総含有量は、耐ドライアップ性能の向上、インキ追従性の向上、さらにトギレやカスレが改善された良好な筆跡が得られることを考慮すると、０．１〜３０質量％であることが好ましい。
【００４４】
また、本発明のインキ組成物は、多糖類を更に含んでも構わない。
前記多糖類としては、プルラン、アミロース、キシログルカン、アミロペクチン、デキストラン、デキストリン、シクロデキストリン、マンナン、ヒドロキシデキストラン、レバン、イヌリン、キチン、キトサン、またはそれらのステロール誘導体、さらには水溶性セルロースなどが挙げられる。これらの多糖類は、１種または２種以上の混合物として使用することが可能である。
前記多糖類はペン先に被膜を形成し、その被膜によりインキ中の溶媒の蒸発を防ぐことができる。このため、本発明において、前記Ｎ，Ｎ，Ｎ−トリアルキルアミノ酸および前記ヒアルロン酸類とともに多糖類を用いることは、耐ドライアップ性能をさらに向上させることができることから効果的である。耐ドライアップ性能の向上や前記Ｎ，Ｎ，Ｎ−トリアルキルアミノ酸および前記ヒアルロン酸類との相溶性を考慮すると、前記多糖類は、デキストリン、プルラン、またはそれらのステロール誘導体を用いることが好ましく、さらには、デキストリン、またはプルランのコレステロール誘導体（コレステロールプルラン）を用いることが好ましい。
【００４５】
前記多糖類にデキストリンを用いる場合、前記デキストリンの重量平均分子量については、５０００〜１２００００であることが好ましい。１２００００以上であると、ペン先に形成される被膜が硬く、ドライアップ時の書き出しにおいて、筆跡がかすれやすくなる傾向があり、一方、５０００未満だとデキストリンの吸湿性が高くなり、ペン先に生ずる被膜が柔らかくなりやすく、ペン先で安定した被膜が維持しにくくなることから、インキ中の溶媒の蒸発を抑制しにくい傾向にあるためである。さらに、重量平均分子量が２００００より小さいと、被膜は薄くなりやすい傾向にあるため、重量平均分子量が、２００００〜１０００００であることが最も好ましい。
【００４６】
尚、前記多糖類の含有量は、インキ組成物の総質量を基準として、０．００１〜１０質量％であることが好ましい。
【００４７】
更に、本発明においては、必要に応じて剪断減粘性付与剤を添加し、インキに適当な粘性を与えて実用に供することができる。用いる剪断減粘性付与剤は従来公知のものから適宜選択することができ、その具体例としては、キサンタンガム、サクシノグリカン、カラギーナン等の多糖類、ポリアクリル酸、架橋型アクリル酸、ポリビニルアセトアミド、非イオン性界面活性剤、アニオン性界面活性剤、会合性ウレタンエマルジョン等が挙げられ、１種または、２種以上の混合物として使用することが可能である。
【００４８】
また、本発明のインキ組成物は、インキ物性や機能を向上させる目的で、ｐＨ調整剤、防錆剤、防腐剤、キレート剤などの各種添加剤を含んでもよい。
【００４９】
ｐＨ調整剤としては、アンモニア、炭酸ナトリウム、リン酸ナトリウム、水酸化ナトリウムなどの塩基性無機化合物、酢酸ナトリウム、トリエタノールアミン、ジエタノールアミンなどの塩基性有機化合物、乳酸およびクエン酸などが挙げられ、インキ組成物の経時安定性を考慮すれば、塩基性有機化合物を用いることが好ましく、より考慮すれば、弱塩基性であるトリエタノールアミンを用いることが好ましい。これらのｐＨ調整剤は１種または、２種以上の混合物として使用してもかまわない。
【００５０】
防錆剤としては、ベンゾトリアゾールおよびその誘導体、トリルトリアゾール、ジシクロヘキシルアンモニウムナイトライト、ジイソプロピルアンモニウムナイトライト、チオ硫酸ナトリウム、サポニン、またはジアルキルチオ尿素などが挙げられる。
【００５１】
防腐剤としては、フェノール、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン、２−ピリジンチオール−１−オキシドナトリウム、１，２−ベンズイソチアゾリン−３−オン、２−メチル−４−イソチアゾリン−３−オン、２−ｎ−オクチル−４−イソチアゾリン−３−オンなどが挙げられる。
【００５２】
キレート剤としては、エチレンジアミン四酢酸（ＥＤＴＡ）、ヒドロキシエチレンジアミン三酢酸（ＨＥＤＴＡ）、グリコールエーテルジアミン四酢酸（ＧＥＤＴＡ）、ニトリロ三酢酸（ＮＴＡ）、ヒドロキシエチルイミノ二酢酸（ＨＩＤＡ）、ジヒドロキシエチルグリシン（ＤＨＥＧ）、ジエチレントリアミン五酢酸（ＤＴＰＡ）、トリエチレンテトラミン六酢酸（ＴＴＨＡ）およびそれらのアルカリ金属塩、アンモニウム塩またはアミン塩などが挙げられる。
【００５３】
さらに、樹脂エマルジョンとして、アクリル系樹脂、ウレタン系樹脂、スチレン−ブタジエン系樹脂、ポリエステル系樹脂、酢酸ビニル系樹脂など含むエマルジョンを添加することができる。
【００５４】
さらには、各種界面活性剤を含んでも良い。ノニオン系、アニオン系、カチオン系界面活性剤などが挙げられ、アセチレン結合を構造中に有した界面活性剤、シリコーン系界面活性剤、フッ素系界面活性剤などが挙げられる。
【００５５】
また、本発明のインキ組成物をボールペンに用いる場合、潤滑剤を用いることが好ましい。
潤滑剤は、ボールペンが有するボールペンチップのボールとボール座との間の潤滑性を向上して、ボールの回転をスムーズにすることで、ボール座の摩耗を抑制し、書き味を向上するものであり、本発明においては、リン酸エステル系界面活性剤や脂肪酸を用いることが好ましい。
【００５６】
中でも、本発明においては、リン酸基を有するリン酸エステル系界面活性剤を用いることがより好ましい。これは、リン酸基は金属に吸着しやすい性質があることから、潤滑性を向上させ、ボール座の摩耗抑制や書き味が向上しやすいためである。
前記リン酸エステル系界面活性剤の種類としては、直鎖アルコール系、スチレン化フェノール系、ノニルフェノール系、オクチルフェノール系等が挙げられる。この中でも、フェニル骨格を有すると立体障害により潤滑性に悪影響が出やすいことから、フェニル骨格を有さないリン酸エステル系界面活性剤を用いることが好ましい。これらは、１種または、２種以上の混合物として使用してもかまわない。
【００５７】
前記リン酸エステル系界面活性剤の具体例としては、プライサーフシリーズ（第一工業製薬（株）製）の中から、プライサーフＡ２１２Ｃ、同Ａ２０８Ｂ、同Ａ２１３Ｂ、同Ａ２０８Ｆ、同Ａ２１５Ｃ、同Ａ２１９Ｂ、同Ａ２０８Ｎ等が挙げられる。
また、前記脂肪酸の具体例としては、ＯＳソープ、ＮＳソープ、ＦＲ−１４、ＦＲ−２５（花王（株）製）等が挙げられる。
これらのリン酸エステル系界面活性剤、脂肪酸は、１種または、２種以上の混合物として使用してもかまわない。
【００５８】
＜インキ組成物の製造方法＞
本発明によるインキ組成物は、従来知られている任意の方法により製造することができる。具体的には、前記各成分を必要量配合し、マグネットホットスターラー、プロペラ攪拌機、ホモジナイザー攪拌機、ホモディスパー、ホモミキサー、または自転公転攪拌機などの各種攪拌機やビーズミルなどの各種分散機などにて混合し、製造することができる。
【００５９】
＜筆記具＞  
本発明の筆記具用インキ組成物を充填する筆記具自体の構造、形状は特に限定されるものではなく、従来から汎用のものが適用でき、繊維チップ、フェルトチップ、プラスチックチップをペン先としたマーキングペン（サインペン）や、ボールペンチップなどをペン先としたボールペン、さらに、金属製のペン先を用いた万年筆など、各種筆記具に用いることができる。
【００６０】
また、本発明のインキ組成物を用いることができる筆記具としては、インキ組成物を直に充填する構成のものであってもよく、インキ組成物を充填することのできる、インキ収容体またはインキ吸蔵体を備えるものであってもよい。また、前記インキ収容体またはインキ吸蔵体が、筆記具本体に着脱自在に交換可能な構造をもつインキカートリッジ式筆記具およびコンバーター式筆記具であってもよい。
【００６１】
また、本発明のインキ組成物を用いることができる筆記具は、ペン先を覆うキャップを備えたキャップ式筆記具や、ノック式、回転式およびスライド式などの軸筒内にペン先を収容可能な出没式筆記具が挙げられる。
前記Ｎ，Ｎ，Ｎ−トリアルキルアミノ酸および前記ヒアルロン酸類を含んでなる本発明のインキ組成物は、耐ドライアップ性能に優れることから、常にペン先が大気に晒されているような状況となる出没式筆記具に好適に用いることができる。
【００６２】
また、本発明のインキ組成物を用いることができる筆記具の供給機構についても特に限定されるものではなく、例えば、（機構１）繊維収束体などからなるインキ誘導部をインキ流量調節部材として備え、インキ組成物をペン先に供給する機構、（機構２）くし溝状のインキ流量調節部材を備え、これを介在させ、インキ組成物をペン先に供給する機構、（機構３）弁機構によるインキ流量調節部材を備え、インキ組成物をペン先に供給する機構、および（機構４）インキ流量調節部材なしに直接、インキ組成物をペン先に供給する機構などを挙げることができる。
前記Ｎ，Ｎ，Ｎ−トリアルキルアミノ酸および前記ヒアルロン酸類を含んでなる本発明のインキ組成物は、優れた耐ドライアップ性能を維持しながら、インキ組成物のインキ粘度を、剪断速度３８０ｓｅｃ−１において５０ｍＰａ・ｓ以下であるような低粘度インキ組成物はもとより、剪断速度３８０ｓｅｃ−１において２ｍＰａ・ｓ以下であるような超低粘度インキ組成物にも調整することが可能である。このため、供給機構の特性から、インキ粘度が前記低粘度インキ組成物から前記超低粘度インキ組成物の範囲内であるインキ組成物を主に充填して用いるような、前記（機構1）、（機構２）、（機構３）の供給機構を備える筆記具に好適に用いることができる。また、本発明のインキ組成物は、剪断減粘性付与剤を含んでなる場合、前記（機構４）の供給機構を備える筆記具にも、好適に用いることができる。
【実施例】
【００６３】
以下、実施例により、本発明をさらに詳細に説明するが、本発明はこれら実施例に限定されるものではない。
【００６４】
＜実施例１＞
下記の配合組成および方法により、インキ組成物を得た。
・Ｎ，Ｎ，Ｎ−トリアルキルアミノ酸          ０．５質量％
（トリメチルグリシン）  
・ヒアルロン酸類                        ０．００５質量％
（ヒアルロン酸の塩（ヒアルロン酸ナトリウム）の１％水溶液：０．５質量％）
・着色剤                                                          ４．０質量％
（カーボンブラックの１５％水分散体：２６．６質量％）
・ｐＨ調整剤                                                      １．０質量％
（トリエタノールアミン）
・防腐剤                                                        ０．０５質量％
（１，２−ベンズイソチアゾリン-３-オン）
・水                                                残部
Ｎ，Ｎ，Ｎ−トリアルキルアミノ酸、ヒアルロン酸類、ｐＨ調整剤、防腐剤、水をプロペラ攪拌機により混合してベース液を得た。その後、該ベース液に着色剤を添加し、プロペラ攪拌機により混合した後、メンブレンフィルターを用いて濾過を行い、インキ組成物を得た。
尚、得られたインキ組成物について、ＪＩＳ  Ｚ  ８８０３：２０１１に従って、Ｂ型回転粘度計（機種：ＢＬＩＩ、ローター：ＢＬアダプタ、東機産業株式会社製、サンプル量２０ｍｌ）を用いて、２０℃、回転速度６０ｒｐｍにおけるインキ粘度を測定したところ、１．９５ｍＰａ・ｓであった。
【００６５】
＜実施例２〜実施例６、比較例１〜比較例３＞
実施例２〜実施例６および比較例１〜比較例３は、インキ組成物に含まれる成分の種類や配合量を表１〜表２において表される組成に変更した以外は、実施例１と同じ方法でインキ組成物を得た。
尚、実施例３と実施例６のインキ組成物のインキ粘度は、それぞれ、２．０７ｍＰａ・ｓ、１．９０ｍＰａ・ｓであった。上記インキ粘度は、ＪＩＳ  Ｚ  ８８０３：２０１１に従って、Ｂ型回転粘度計（機種：ＢＬＩＩ、ローター：ＢＬアダプタ、東機産業株式会社製、サンプル量２０ｍｌ）を用いて、２０℃、回転速度６０ｒｐｍにおけるインキ粘度を測定した結果である。
【００６６】
＜試験用筆記具（万年筆）の作製＞ 
実施例１〜実施例６および比較例１〜比較例３のインキ組成物を、ポリエチレン製のインキカートリッジに注入し、金メッキしたステンレス製のペン先を有し、くし溝状のインキ流量調節部材を備えたノック式の出没式筆記具（（株）パイロットコーポレーション製万年筆、ＦＣＮ−１ＭＲ−ＢＭ）に装着し、万年筆を得た。得られた万年筆を試験用筆記具（万年筆）とし、耐ドライアップ性能試験、筆記性能試験を行い評価した。
【００６７】
＜耐ドライアップ性能試験＞
得られた試験用筆記具（万年筆）のペン先を繰り出してペン先を大気に晒し、横置きにした状態で、２０℃、６５％ＲＨの環境下で３０分間放置した後、試験用紙（日本製紙（株）製の上質紙（しらおい４／６Ｔ）に、「Ｖ」という文字（文字の大きさは、縦横約８ｍｍ）を連続筆記し、筆跡がかすれなくなる程度に復帰するまでの文字数を数えた。前記試験を５回繰り返して平均値を算出し、下記の評価基準に従って評価した。得られた評価結果を表１〜表２にまとめた。
◎：初筆より、かすれなく良好な筆跡が得られた。
○：復帰したまでの文字数が、０文字より多く、３文字未満であった。
△：復帰したまでの文字数が、３文字以上、６文字未満であった。
×：復帰したまでの文字数が、６文字以上、１０文字未満であった。
××：１０文字筆記しても、筆跡は復帰できなかった。
【００６８】
＜筆記性能試験＞
耐ドライアップ性能試験で使用した試験用筆記具（万年筆）を用いて、筆記角度６０°、筆記荷重０．９８Ｎ、筆記速度１０ｍ／分の条件下で筆記し、得られた筆跡を目視にて確認し、下記基準に従って筆記性能試験を評価した。なお、筆記試験用紙として、富士ゼロックス株式会社製のＥエンジニアリング用紙（上質系普通紙：Ｅ［カット］）を用いて、評価を行った。
◎：とぎれやかすれのない、良好な筆跡が得られた。
○：筆跡にとぎれやかすれが一部確認されたが、実用上問題のないレベルであった。
×：筆跡にとぎれやかすれが確認され、実用上懸念が残るレベルであった。
××：筆跡が得らなかった。
【００６９】
【表１】
2019077828.tif 000005
【００７０】
【表２】
2019077828.tif 000006
【００７１】
表１により、実施例１〜実施例６のインキ組成物は、耐ドライアップ性能試験から、ペン先が暫く大気に晒されても、良好な筆跡が得られること、筆記性能試験から、ペン先へインキが安定して供給され、インキ追従性に優れ、良好な筆跡が得られること、が確認でき、耐ドライアップ性能および筆記性能ともに優れていることがわかった。
一方、表２により、比較例１〜比較例３のインキ組成物は、耐ドライアップ性能試験、筆記性能試験において、いずれかの性能を満たすことができず、すべてを満足するものではなかった。よって、Ｎ，Ｎ，Ｎ−トリアルキルアミノ酸およびヒアルロン酸類を含んでなるインキ組成物は、耐ドライアップ性能、筆記性能ともに優れていることがわかった。
【００７２】
また、実施例３の配合組成のうち、ヒアルロン酸類を除いた以外は実施例３と同じ方法で得たインキ組成物（比較例４）と、実施例６の配合組成のうちＮ，Ｎ，Ｎ−トリアルキルアミノ酸を除いた以外は実施例６と同じ方法で得たインキ組成物（参考例１）を、ポリエチレン製のインキカートリッジに注入し、金メッキしたステンレス製のペン先を有し、くし溝状のインキ流量調節部材を備えたノック式の出没式筆記具（（株）パイロットコーポレーション製万年筆、ＦＣＮ−１ＭＲ−ＢＭ）に装着し、万年筆を得て、この得られた万年筆を試験用筆記具（万年筆）として、前述と同じ方法で耐ドライアップ性能試験を行い評価した。
その結果、実施例３のインキ組成物を用いた試験用筆記具（万年筆）は、比較例１、比較例２、比較例３、比較例４のインキ組成物を用いた試験用筆記具（万年筆）と比較して、復帰するまでの文字数は少なく、初筆よりかすれなく良好な筆跡が得られた。また、実施例６のインキ組成物を用いた試験用筆記具（万年筆）は、比較例１、比較例４、参考例１のインキ組成物を用いた試験用筆記具（万年筆）と比較して復帰するまでの文字数は少なく、初筆よりかすれなく良好な筆跡が得られた。
【００７３】
＜実施例７＞
下記の配合組成および方法によりインキ組成物を得た。
・Ｎ，Ｎ，Ｎ−トリアルキルアミノ酸                  ０．５質量％
（トリメチルグリシン）
・ヒアルロン酸類                                    ０．１質量％
（ヒアルロン酸誘導体の塩（カルボキシメチルヒアルロン酸ナトリウム）の１％水溶液：１０質量％）
・着色剤                                              ６．０質量％
（カーボンブラックの２０％水分散体：３０．０質量％）
・剪断減粘性付与剤                                    ０．３質量％
（キサンタンガム）
・潤滑剤                                              １．０質量％
（リン酸エステル系界面活性剤（直鎖アルコール系））
・多糖類                                              １．０質量％
（デキストリン）  
・ｐＨ調整剤                                          ２．０質量％
（トリエタノールアミン）
・キレート剤                                          ０．５質量％
（エチレンジアミン四酢酸）
・防錆剤                                              ０．５質量％
（ベンゾトリアゾール）  
・水          残部
Ｎ，Ｎ，Ｎ−トリアルキルアミノ酸、ヒアルロン酸類、着色剤、潤滑剤、多糖類、ｐＨ調整剤、キレート剤、防錆剤、水をマグネットホットスターラーで加温攪拌などして、ベースインキを作製した。
その後、前記作製したベースインキを加温しながら、剪断減粘性付与剤を投入してホモジナイザー攪拌機を用いて均一な状態となるまで充分に混合攪拌した後、濾紙を用いて濾過を行い、実施例７のインキ組成物を得た。
【００７４】
＜比較例５＞
実施例７の配合組成のうち、Ｎ，Ｎ，Ｎ−トリアルキルアミノ酸、ヒアルロン酸類を除いた以外は、実施例７と同じ方法で比較例５のインキ組成物を得た。
【００７５】
＜試験用筆記具（ボールペン）の作製＞
実施例７、比較例５のインキ組成物（１．０ｇ）をそれぞれ充填したインキ収容体（ポリプロピレン製）の先端に、チップホルダーを介して、ボール（ボール径０．７ｍｍ）を回転自在に抱持したステンレス製のボールペンチップを具備したレフィルを、（株）パイロットコーポレーション製のノック式の出没式ゲルインキボールペン（ＬＧ−２０Ｆ−Ｂ）の外装に組み、ボールペンを得た。得られたボールペンを試験用筆記具（ボールペン）とした。
【００７６】
得られた試験用筆記具（ボールペン）のペン先を繰り出して、ペン先を大気に晒し、横置きにした状態で、５０℃、全乾の環境下で１日間放置した後、試験用紙（JIS  P3201、筆記用紙Ａ）に、「Ｖ」という文字（文字の大きさは、縦横約８ｍｍ）を連続筆記し、筆跡がかすれなくなる程度に復帰するまでの文字数を数えたところ、Ｎ，Ｎ，Ｎ−トリアルキルアミノ酸およびヒアルロン酸類を含んでない比較例５のインキ組成物を用いた試験用筆記具（ボールペン）よりも、Ｎ，Ｎ，Ｎ−トリアルキルアミノ酸およびヒアルロン酸類を含んでなる実施例７のインキ組成物を用いた試験用筆記具（ボールペン）の方が、復帰するまでの文字数は少なく、実施例７の筆記具用インキ組成物は、耐ドライアップ性能に優れていることがわかった。
その後、試験用筆記具（ボールペン）を、試験用紙に手書きで螺旋状の丸を連続筆記し、得られた筆跡の状態を目視により観察したところ、実施例７のインキ組成物を用いた試験用筆記具（ボールペン）により得られた筆跡は、比較例５のインキ組成物を用いた試験用筆記具（ボールペン）により得られた筆跡に比べ、安定してインキがペン先に供給され、とぎれやかすれが少なく、良好な筆跡が得られ、実施例７の筆記具用インキ組成物は、筆記性能にも優れていることがわかった。
【００７７】
以上より、Ｎ，Ｎ，Ｎ−トリアルキルアミノ酸と、ヒアルロン酸類と、着色剤と、溶媒と、を含んでなる筆記具用インキ組成物は、耐ドライアップ性能に優れており、ペン先が暫く大気に晒された状態においても良好な筆跡をもたらすことができること、また、ペン先へインキが安定して供給され、良好な筆跡が得られるなど筆記性能に優れていることがわかった。さらには、万年筆やマーキングペン（サインペン）に用いられるような低粘度インキ組成物、さらには超低粘度インキ組成物としても調整可能で、インキ追従性に優れ良好な筆跡を残すことができること、また、ボールペン用インキ組成物としても調整可能であり、さらには、常にペン先が大気に晒されているような状況となり得るような出没式筆記具に用いた場合においても、良好な筆跡をもたらすことがわかった。
よって、本発明の筆記具用インキ組成物は、耐ドライアップ性能、筆記性能に優れ、良好な筆跡をもたらし、また、前記筆記具用インキ組成物を用いた筆記具は、筆記具として優れたものとなることがわかった。
【産業上の利用可能性】
【００７８】
本発明のインキ組成物は、万年筆、ボールペン、マーキングペン（サインペン）、筆ペン、カリグラフィー用のペンなどの各種筆記具に用いることができ、該インキ組成物が収容されてなる筆記具は、耐ドライアップ性能、筆記性能に優れ、良好な筆跡をもたらすなど、筆記具として優れたものである。